(57)【要約】【課題】原稿が特殊原稿であるか否かの判定を迅速、かつ、効率的に特殊原稿の画像形成処理を禁止する。【解決手段】原稿磁化部６０４は原稿を磁化させ、磁気センサ６０５は磁化後の原稿から磁気レベルを検出する。適合比較部４１１及び不適合比較部４１２は、磁気センサ６０５により検出された磁気レベルと閾値記憶部８４により記憶される第１の閾値（不適合レベル）、第２の閾値（適合レベル）を比較し、検出された磁気レベルが第１の閾値以下であり、かつ、第２の閾値を越えた場合は、判定部４１３はスキャナ部１１により読み取られた原稿の画像とパターン記憶部８５により記憶される特殊原稿の画像パターンとの異同を判定し、前記読み取られた原稿の画像と特殊原稿の画像パターンとが一致すると判定したときは、像形成制御部４１６はプリンタ３１による特殊原稿の画像形成処理を禁止する。【選択図】  図２
2004317742.tif 000002
【特許請求の範囲】
【請求項１】
磁化後の原稿を画像読取部への給紙途中に磁気センサで検出し、検出された磁気レベルが予め設定された適合レベル内と判定されると、原稿の画像を読み取ると共に、読み取った原稿画像を像形成部を介して記録紙に転写し、出力する画像形成装置であって、
特殊原稿の画像パターンを予め記憶するパターン記憶手段と、
検出された磁気レベルが前記適合レベルを超える場合に、読み取った原稿の画像と前記特殊原稿の画像パターンとの異同を判定する判定手段と、
前記判定手段によって、前記読み取った原稿の画像と前記特殊原稿の画像パターンとが一致すると判定されたときは、前記像形成部の動作を禁止する像形成制御手段とを備えたことを特徴とする画像形成装置。
【請求項２】
前記画像読取部の動作を行わせる画像読取制御手段を備え、
前記判定手段は、読み取り途中の原稿の画像と前記特殊原稿の対応する部分
の画像パターンとの異同を判定しており、前記画像読取制御手段は、前記判定手段によって、前記原稿の読み取り途中で原稿の画像と前記特殊原稿の対応する部分の画像パターンとが一致すると判定されたときは、その時点で前記画像読取部の動作を停止することを特徴とする請求項１記載の画像形成装置。
【請求項３】
前記適合レベルを超えた不適合レベルと前記検出した磁気レベルとを比較する比較手段と、前記比較手段によって検出された磁気レベルが前記不適合レベルを超える場合に、前記画像読取部の動作を禁止する画像読取禁止手段とを備えたことを特徴とする請求項１又は２記載の画像形成装置。
【請求項４】
前記特殊原稿は紙幣であることを特徴とする請求項１〜３のいずれかに記載の画像形成装置。
【発明の詳細な説明】
【０００１】
【発明の属する技術分野】
本発明は、原稿が紙幣等の特殊原稿であるか否かの判定を行い、特殊原稿の画像形成処理を禁止する画像形成装置に関する。
【０００２】
【従来の技術】
従来の画像形成装置において、原稿が金属繊維のすき込まれた紙幣・有価証券等の特殊原稿であるか否かを判定するために、原稿を磁化させ、磁化後の原稿の磁気レベルを検出して、検出された磁気レベルと予め設定された閾値とを比較することにより、原稿が特殊原稿であるか否かの判定を行っていた（例えば、特許文献１参照）。ところが、この方法では、検出された磁気レベルが閾値付近である場合は特殊原稿であるか否かの判定が困難であるため、近年では原稿の画像データを読み取り、原稿の画像と特殊原稿の画像パターンの一致判定を行うことにより、特殊原稿の検出を行っていた。
【０００３】
【特許文献１】
特開平１０−１４３７０８号公報
【０００４】
【発明が解決しようとする課題】
しかしながら、一般に画像形成装置は原稿の読み取り後すぐに画像形成処理を行うため、特殊原稿であると判定した場合、画像形成途中であれば、その記録紙上に特殊原稿の画像と異なる画像を形成させ、また、特殊原稿の画像が形成された後であれば、この記録紙を回収する必要があり、記録紙やトナー等が無駄になるという問題点があった。また、近年のＳＡＤＦ（シートスルーオートドキュメントフィーダー）を備えた画像形成処理装置の普及に伴う印字処理の高速化の要請下では、上記特殊原稿の判定方法が印字処理の高速化の妨げとなるという問題点があった。
【０００５】
本発明は、上記問題点を解決するためになされたものであり、原稿が特殊原稿であるか否かの判定を迅速にし、かつ、効率的に特殊原稿の画像形成を阻止しうる画像形成装置を提供することが目的である。
【０００６】
【課題を解決するための手段】
本発明の請求項１に係る画像形成装置は、磁化後の原稿を画像読取部への給紙途中に磁気センサで検出し、検出された磁気レベルが予め設定された適合レベル内と判定されると、原稿の画像を読み取ると共に、読み取った原稿画像を像形成部を介して記録紙に転写し、出力する画像形成装置であって、特殊原稿の画像パターンを予め記憶するパターン記憶手段と、検出された磁気レベルが前記適合レベルを超える場合に、読み取った原稿の画像と前記特殊原稿の画像パターンとの異同を判定する判定手段と、前記判定手段によって、前記読み取った原稿の画像と前記特殊原稿の画像パターンとが一致すると判定されたときは、前記像形成部の動作を禁止する像形成制御手段とを備えたことを特徴とする。
【０００７】
この構成によれば、前記磁気センサによって検出された磁気レベルが前記適合レベルを超えると判定された場合に、前記判定手段によって、前記読み取った原稿の画像と前記特殊原稿の画像パターンとの異同が判定され、前記読み取った原稿の画像と前記特殊原稿の画像パターンとが一致すると判定されたときは、前記像形成制御手段によって、前記像形成部の動作が禁止されるので、記録紙やトナーを無駄に消費することなく、特殊原稿を正確、かつ、効率的に検出することができ、特に大量の原稿に対する印字処理を行う際の処理の高速化を実現することができる。ここに適合レベルとは、このレベル内では特殊原稿ではないと認定しうるレベルをいう。従って、この磁気レベルが適合レベルを少しでも超えたときは、直ちに画像の異同の判定処理が実行される。
【０００８】
本発明の請求項２に係る画像形成装置は、請求項１記載の画像形成装置において、前記画像読取部の動作を行わせる画像読取制御手段を備え、前記判定手段は、読み取り途中の原稿の画像と前記特殊原稿の対応する部分の画像パターンとの異同を判定しており、前記画像読取制御手段は、前記判定手段によって、前記原稿の読み取り途中で原稿の画像と前記特殊原稿の対応する部分の画像パターンとが一致すると判定されたときは、その時点で前記画像読取部の動作を停止することを特徴とする。
【０００９】
この構成によれば、前記判定手段によって、読み取り途中の原稿の画像と前記特殊原稿の対応する部分の画像パターンとの異同が判定され、前記原稿の読み取り途中で原稿の画像と前記特殊原稿の対応する部分の画像パターンとが一致すると判定されたときは、その時点で前記画像読取制御手段によって前記画像読取部の動作が停止されるので、特殊原稿を早期に検出することができ、処理の高速化を実現することができる。
【００１０】
本発明の請求項３に係る画像形成装置は、請求項１又は２記載の画像形成装置において、前記適合レベルを超えた不適合レベルと前記検出した磁気レベルとを比較する比較手段と、前記比較手段によって検出された磁気レベルが前記不適合レベルを超える場合に、前記画像読取部の動作を禁止する画像読取禁止手段とを備えたことを特徴とする。
【００１１】
この構成によれば、前記比較手段によって、前記適合レベルを超えた不適合レベルと前記検出した磁気レベルとが比較され、前記検出された磁気レベルが前記不適合レベルを超える場合に、前記画像読取禁止手段によって、前記画像読取部の動作が禁止されるので、特殊原稿を早期に検出することができ、処理の高速化を実現することができる。ここに不適合レベルとは、このレベルを超えると特殊原稿であると認定しうるレベルをいう。
【００１２】
本発明の請求項４に係る画像形成装置は、請求項１〜３のいずれかに記載の画像形成装置において、前記特殊原稿は紙幣であるので、記録紙やトナーを無駄に消費することなく、紙幣を正確、かつ、効率的に検出することができる。
【００１３】
【発明の実施の形態】
図１は、本発明の一実施の形態によるデジタル複合機の機械的構成を主に示す側面概略図である。
【００１４】
デジタル複合機１は、本体部２００と、本体部２００の左側に配設された用紙後処理部３００と、本体部２００の上部に配設された原稿読み取り部５００と、原稿読み取り部５００の上方に配設された原稿給送部６００とから構成される。
【００１５】
原稿給送部６００は、原稿収納部６０１、原稿排出部６０２、及び給紙ローラ６０３等を備えたＳＡＤＦ（シートスルーオートドキュメントフィーダー）であり、原稿収納部６０１にセットされた原稿を給紙ローラ６０３により１枚ずつ順に原稿読み取り部５００に搬送する。原稿給送部６００内の用紙搬送路に近接して、原稿磁化部６０４、磁気センサ６０５、原稿消磁部６０６が設けられている。原稿磁化部６０４は、搬送される原稿用紙に含まれる磁性体を磁化し、磁気センサ６０５は、原稿磁化部６０４により磁化された原稿用紙の磁気レベルを検出し、原稿消磁部６０６は、原稿磁化部６０４により磁化された原稿用紙内の磁性体に対してのその磁気を消磁する。
【００１６】
原稿読み取り部５００は、複写機本体１の上部に設置され、原稿の画像を読み取って画像データを得るためのスキャナ部であり、原稿給送部６００を用いずに手動により載置された原稿の画像を読み取るための第１コンタクトガラス５０１及び原稿給送部６００により搬送された原稿の画像を読み取るための第２コンタクトガラス５０２、原稿に光照射する光源である露光ランプ５０３と原稿からの反射光の光路を変更する第１ミラー５０４とを一体化してなる第１ミラーユニット５２０、第１ミラー５０４からの光の光路を変更する第２ミラー５０５と第３ミラー５０６とを一体化してなる第２ミラーユニット５４０、第２ミラーユニット５４０からの反射光を絞る結像レンズ５０７、結像レンズ５０７によって反射光が絞られ結像された光像を光電変換して画像データを得るＣＣＤ（Ｃｈａｒｇｅ    Ｃｏｕｐｌｅｄ  Ｄｅｖｉｃｅ）からなるＣＣＤユニット５６０を備えている。第１ミラーユニット５２０及び第２ミラーユニット５４０は、図示しない駆動モータにより所定の速度を有して第１、第２コンタクトガラス５０１、５０２に沿ってそれぞれ往復移動可能に構成され、後述の制御部４１からの制御信号に応じて露光ランプ５０３で光照射しつつ原稿を走査し、結像レンズ５０７を介してＣＣＤユニット５６０に原稿の走査画像を結像する。
【００１７】
本体部２００は、複数の給紙カセット２０１、複数の給紙ローラ２０２、転写ローラ２０３、感光体ドラム２０４、露光装置２０６、イエロー、マゼンタ、シアン、ブラックの各色用の現像装置２０７Ｙ，２０７Ｍ，２０７Ｃ，２０７Ｋ、定着ローラ２０８、排出口２０９、及び排出トレイ２１０等を備える。
【００１８】
感光体ドラム２０４は、矢印方向に回転しながら帯電装置（図示省略）によって一様に帯電される。露光装置２０６は、原稿読み取り部５００において読み取られた原稿の画像データに基づいて生成された変調信号をレーザ光に変換して出力し、感光体ドラム２０４に各色別に静電潜像を形成する。現像装置２０７Ｙ，２０７Ｍ，２０７Ｃ，２０７Ｋは、各色の現像剤を感光体ドラム２０５に供給して各色別のトナー画像を形成する。
【００１９】
一方、給紙ローラ２０２は、記録紙が収納された給紙カセット２０１から記録紙を引き出し、転写ローラ２０３まで給送する。転写ローラ２０３は、搬送された記録紙に感光体ドラム２０４上のトナー像を転写させる。定着ローラ２０８は、トナー像が転写された記録紙を加熱及び加圧することによってトナー像を記録紙上に定着させる。その後、記録紙は、本体部２００の排出口２０９から用紙後処理部３００に搬入される。または、記録紙は、必要に応じて排出トレイ２１０へ排出される。
【００２０】
また、記録紙の両面に画像を形成する場合は、記録紙の一方の面に画像を形成した後、この記録紙を排出トレイ２１０側の搬送ローラ２１５にニップされた状態とする。この状態で搬送ローラ２１５を反転させて記録紙をスイッチバックさせ、記録紙を感光体ドラム２０４の上流域に再度搬送し、記録紙の他方の面に画像を形成した後、記録紙を排出トレイ２１０又は排出口２０９を通じて用紙後処理部３００に排出する。
【００２１】
用紙後処理部３００は、搬入口３０１、記録紙搬送部３０２、搬出口３０３及びスタックトレイ３０４等を備える。記録紙搬送部３０２は、排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００２２】
図２は、図１に示すデジタル複合機の電気的構成を主に示すブロック図である。
【００２３】
デジタル複合機１は、スキャナ部１１、画像処理部２１、プリンタ部３１、制御部４１、ＨＤＤ（ハードディスクドライブ）７４及び特殊原稿検出部８０を備える。
【００２４】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像データを画像処理部２１へ出力する。
【００２５】
画像処理部２１は、補正部２２、画像加工部２３及び画像メモリ２４を含む。画像処理部２１は、読み取られた画像データを必要に応じて補正部２２及び画像加工部２３により処理し、処理された画像データを画像メモリ２４に記憶したり、プリンタ部３１へ出力する。補正部２２は、読み取られた画像データに対してレベル補正、γ補正等の所定の補正処理を行う。画像加工部２３は、画像データの圧縮又は伸張処理、及び拡大又は縮小処理等の種々の加工処理を行う。
【００２６】
プリンタ部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。用紙搬送部３２は記録紙を画像形成部３３へ搬送し、画像形成部３３はスキャナ部１１により読み取られた画像データに対応するトナー像を形成し、転写部３４はトナー像を記録紙に転写し、定着部３５はトナー像を記録紙に定着させて画像を形成する。
【００２７】
ＨＤＤ７４は、スキャナ部１１によって読み取られた画像データ及び当該画像データに設定されている出力形式等を記憶する。ＲＯＭ（Ｒｅａｄ  Ｏｎｌｙ  Ｍｅｍｏｒｙ）４３は、制御プログラムのデータ等が記録されており、ＲＡＭ（Ｒａｎｄｏｍ  Ａｃｃｅｓｓ  Ｍｅｍｏｒｙ）４４は、ＣＰＵ４２の作業領域として用いられる。
【００２８】
特殊原稿検出部８０は、図１に示す原稿磁化部６０４、磁気センサ６０５、原稿消磁部６０６を含む。また、特殊原稿検出部８０は、原稿が特殊原稿であるか否かを判定するための第１の閾値（不適合レベル）及び第２の閾値（適合レベル）を予め記憶する閾値記憶部８４、紙幣等の特殊原稿の画像パターンを所要種類分だけ記憶するパターン記憶部８５を含む。磁化された原稿から磁気センサ６０５により検出された磁気レベルが第１の閾値を越える場合は、制御部４１により原稿が特殊原稿であると判定され、前記検出された磁気レベルが第２の閾値以下である場合は、原稿が特殊原稿ではないと判定され、前記検出された磁気レベルが第１の閾値以下であり、第２の閾値を超える場合は、原稿が特殊原稿であるか否かの判定不可能であることが判断される。
【００２９】
制御部４１は、装置各部を制御するＣＰＵ（Ｃｅｎｔｒａｌ  Ｐｒｏｃｅｓｓｉｎｇ  Ｕｎｉｔ）４２、磁気センサ６０５により検出された磁気レベルと、閾値記憶部８４に記憶される第２の閾値とを比較し、磁気レベルが第２の閾値を超えているか否かを判定する適合比較部４１１、磁気センサ６０５により検出された磁気レベルと、閾値記憶部８４に記憶される第１の閾値とを比較し、磁気レベルが第１の閾値を超えているか否かを判定する不適合比較部４１２、スキャナ部１１により読み取られた原稿の画像とパターン記憶部８５に記憶される特殊原稿の画像パターンとが一致するか否かを判定する判定部４１３、スキャナ部１１の読み取り動作を制御する画像読取制御部４１４、不適合比較部４１２により磁気レベルが第１の閾値を超えていると判定された場合にスキャナ部１１の読み取り動作を禁止する画像読取禁止部４１５、及びプリンタ部３１による画像形成動作を制御する像形成制御部４１６を備える。
【００３０】
図３は図２に示す制御部４１による特殊原稿の判定処理を説明するためのフローチャートである。
【００３１】
印字処理を開始すると、原稿収納部６０１に収納される記録紙が、給紙ローラ６０３の回転により原稿給送部６００内部に搬送される。
【００３２】
ステップＳ１において、ＣＰＵ４２は、原稿磁化部６０４に原稿の磁化処理を指示すると、原稿磁化部６０４は給紙される記録紙を磁化し、磁気センサ６０５は磁化された原稿の磁気レベルを測定する。ステップＳ３において、ＣＰＵ４２は磁気センサ６０５により測定された磁気レベルを測定する。ステップＳ５において、ＣＰＵ４２は、原稿消磁部６０６に原稿の消磁処理を指示することにより、原稿消磁部６０６は磁化された原稿を消磁する。
【００３３】
次に、ステップＳ７に進み、画像読取制御部４１４は、スキャナ部１１に対し画像データの読み取り開始指示を出すことにより、スキャナ部１１は、露光ランプ１２により原稿を照射し、その反射光をＣＣＤ１３で受光することにより、原稿の画像を走査しつつ読み取り、走査に従って読み取った画像に対応する画像データを画像メモリ２４に格納する。
【００３４】
ステップＳ９において、不適合比較部４１２は、磁気センサ６０５により検出される磁気レベルと閾値記憶部８４に記憶される第１の閾値とを比較し、検出された磁気レベルが第１の閾値を超える場合は、原稿が特殊原稿であると判断し、ステップＳ２１に進み、画像読取制御部４１４は、スキャナ部１１に対し画像データの読み取り動作を停止させるための指示を出す。これにより、露光ランプ１２及びＣＣＤ１３の駆動が停止し、スキャナ部１１による画像データの読み取り動作が停止する。また、スキャナ部１１による画像の読み取り動作が開始されていない時点で不適合比較部４１２により原稿の先端部分で検出される磁気レベルが第１の閾値を越えると判断された場合は、画像読取禁止部４１５によりスキャナ部１１の画像読み取り動作を予め禁止する。
【００３５】
不適合比較部４１２による比較の結果、検出された磁気レベルが第１の閾値以下である場合は、ステップＳ１１に進み、適合比較部４１１は、検出された磁気レベルと第２の閾値とを比較し、検出された磁気レベルが第２の閾値以下である場合は、原稿が特殊原稿ではないと判断し、ステップＳ１３に進み、像形成制御部４１６は、プリンタ部３１に対し動作開始指示を行う。プリンタ部３１は画像メモリ２４に格納される画像データを用いて原稿の画像を記録紙上に形成する。
【００３６】
一方、適合比較部４１１及び不適合比較部４１２による比較の結果、検出された磁気レベルが第１の閾値以下であり、かつ、第２の閾値を超える場合は、磁気レベルのみでは原稿が特殊原稿であるか否かの判定が不可能であることを判断し、ステップＳ１５に進む。判定部４１３は、スキャナ部１１により順次読み取り中の原稿の画像と、パターン記憶部８５に予め記憶された特殊原稿の対応する部分（読み取りの先頭側からの領域）の画像パターンとの異同を判定する。判定部４１３は、読み取られた範囲の原稿の画像と特殊原稿の対応する部分の画像パターンが一致すると判定した場合は、その時点で原稿が特殊原稿であることを判断し、ステップＳ１９に進み、画像読取制御部４１４はスキャナ部１１による原稿の画像の読み取りが終了したか否かを判断する。原稿の画像の読み取り中である場合は、画像読取制御部４１４は、スキャナ部１１による画像データの読み取り動作を停止させ（ステップＳ２１）、原稿の画像の読み取りが終了している場合は、像形成制御部４１６はプリンタ部３１による画像形成処理を禁止する（ステップＳ２３）。
【００３７】
一方、判定部４１３は、読み取り中の原稿の画像と特殊原稿の対応する部分の画像パターンが一致しないと判定した場合は、ステップＳ１７に進み、画像読取制御部４１４はスキャナ部１１による原稿の画像の読み取りが終了したか否かを判断する。原稿の画像の読み取り中である場合は、ステップＳ１５に戻り、判定部４１３による原稿の画像と特殊原稿の画像パターンとの異同判定処理を続行し、両方の画像が一致せず、かつ、原稿の読み取りが終了した時点で、ステップＳ１３に移行する。像形成制御部４１６はプリンタ部３１に対し動作開始指示を行い、プリンタ部３１は画像メモリ２４に格納される原稿の画像データを用いて原稿の画像を記録紙上に形成する。
【００３８】
このように、本実施の形態によれば、適合比較部４１１及び不適合比較部４１２は、磁化された原稿から検出された磁気レベルと、閾値記憶部８４に記憶される第１、第２の閾値とを比較し、検出された磁気レベルが第１の閾値以下であり、かつ、第２の閾値を超える場合は、判定部４１３はスキャナ部１１により読み取られた原稿の画像とパターン記憶部８５に記憶される特殊原稿の画像パターンとの異同を判定し、原稿の画像と特殊原稿の画像パターンが一致すると判定したときは、像形成制御部４１６はプリンタ部３１の動作を禁止するので、記録紙やトナーを無駄に消費することなく、特殊原稿を正確、かつ、効率的に検出することができ、特に原稿給送部６００を用いて大量の原稿に対する印字処理を行う際の処理の高速化を実現することができる。
【００３９】
また、判定部４１３は、スキャナ部１１により読み取り途中の原稿の画像とパターン記憶部８５に記憶される特殊原稿の対応する部分の画像パターンとの異同を判定し、前記読み取られた原稿の画像と特殊原稿の対応する部分の画像パターンが一致すると判断した場合、その時点で画像読取制御部４１４はスキャナ部１１による画像データの読み取り処理を停止させるので、特殊原稿を早期に検出することができ、処理の高速化を実現することができる。
【００４０】
さらに、不適合比較部４１２は、検出された磁気レベルが第１のレベルより大きいと判断した場合は、その時点で画像読取禁止部４１５はスキャナ部１１による画像データの読み取り動作を禁止し、原稿の画像の読み取り途中である場合は、画像読取制御部４１４はスキャナ部１１の動作を停止させるので、特殊原稿を早期に検出することができ、処理の高速化を実現することができる。
【００４１】
なお、本実施形態では特殊原稿として紙幣を用いたが、本発明は紙幣の他有価証券等の磁性体が編み込まれているものであればいずれにも適用可能である。
【００４２】
【発明の効果】
本発明によれば、磁化後の原稿を画像読取部への給紙途中に磁気センサで検出し、検出された磁気レベルが予め設定された適合レベル内と判定されると、原稿の画像を読み取ると共に、読み取った原稿画像を像形成部を介して記録紙に転写し、出力する画像形成装置であって、特殊原稿の画像パターンを予め記憶するパターン記憶手段と、検出された磁気レベルが前記適合レベルを超える場合に、読み取った原稿の画像と前記特殊原稿の画像パターンとの異同を判定する判定手段と、前記判定手段によって、前記読み取った原稿の画像と前記特殊原稿の画像パターンとが一致すると判定されたときは、前記像形成部の動作を禁止する像形成制御手段とを備えた構成としたので、記録紙やトナーを無駄に消費することなく、特殊原稿を正確、かつ、効率的に検出することができ、特に大量の原稿に対する印字処理を行う際の処理の高速化を実現することができる。
【図面の簡単な説明】
【図１】本発明の一実施の形態によるデジタル複合機の機械的構成を主に示す側面概略図である。
【図２】図１に示すデジタル複合機の電気的構成を主に示すブロック図である。
【図３】図２に示す制御部による特殊原稿の判定処理を説明するためのフローチャートである。
【符号の説明】
８０  特殊原稿検出部
８４  閾値記憶部
８５  パターン記憶部
４１１  適合比較部
４１２  不適合比較部
４１３  判定部
４１４  画像読取制御部
４１５  画像読取禁止部
４１６  像形成制御部
６０４  原稿磁化部
６０５  磁気センサ
６０６  原稿消磁部
【図１】
2004317742.tif 000003
【図２】
2004317742.tif 000004
【図３】
2004317742.tif 000005